(57)【特許請求の範囲】
【請求項１】
透液性表面シートおよび不透液性裏面シートと、それらシートの間に介在する吸液性コアとから構成され、長手方向に前身頃および後身頃と、それら両身頃間に位置する股下域とを有し、前記コアの両側縁から幅方向外方へ一対のサイドフラップが延在し、前記サイドフラップの外側縁の近傍に前記長手方向へ延びる脚周り用弾性部材が取り付けられ、前記前後身頃および前記股下域の長手方向に延在して前記表面シートの上方へ起立性向を有する伸縮性カフが前記サイドフラップの内面に取り付けられた使い捨ておむつにおいて、
前記コアが、前記股下域に円弧状の凹欠部を有する砂時計型に形成され、前記サイドフラップが、前記コアの凹欠部に並行するように円弧状に切り欠かれ、前記カフが、前記サイドフラップとほぼ同じ円弧を画く外形線を有して該サイドフラップの内面に接合された固定側縁部と、直線を画く外形線を有して前記固定縁部の反対側に位置する自由縁部と、前記固定縁部および前記自由縁部の間に位置する自由中間部と、前記おむつの幅方向へ倒伏した固定前後端縁部とを有し、
長手方向へ延びる折曲線が、前記自由中間部に形成され、前記自由中間部が、前記折曲線に沿って前記おむつの内面側へ折り曲げられ、前記固定縁部から前記折曲線に至る部分と、前記折曲線から前記自由縁部に至る部分とに区分されていることを特徴とする前記おむつ。
【請求項２】
長手方向へ延びる弾性部材が、前記自由側縁部に伸長状態で取り付けられている請求項１記載のおむつ。
【発明の詳細な説明】
【０００１】
【産業上の利用分野】
本発明は、使い捨ておむつに関する。
【０００２】
【従来の技術】
従来、使い捨ておむつにおいて、内面の左右両側縁部に、股下域を中心として前後身頃の長手方向へ延在し、おむつの内面から起立性向を有するカフを設けて体液の横漏れを防止する技術は公知である。
【０００３】
図５は、従来技術の使い捨ておむつの一例を示す部分破断平面図である。このおむつ１は、透液性表面シート２と、不透液性裏面シート３と、これら両シート２，３間に介在する砂時計型の吸液性コア４とからなるおむつ本体５を有し、本体５の長手方向に前身頃６と、後身頃７と、それら両身頃６，７間に介在する股下域８とを有する。本体５の左右両側縁部には、前後身頃６，７および股下域８の長手方向に延在して着用者の股下に当接可能なカフ１０が取り付けられている。両側縁部には、着用者の脚周りへの密着を可能にするための長手方向へ延びる脚周り用弾性部材１３が取り付けられている。弾性部材１３は、裏面シート３の内面に伸長状態で接合されている。後身頃の両側縁部からは、一対のテープファスナー１２が延出している。カフ１０は、そののりしろを除いた幅Ｗの矩形のシート片から形成され、内側縁部２５が自由縁部であって、長手方向に弾性部材１９が伸長状態で接合されている。内側縁部２５に並行する外側縁部２６と前後両端縁部２７，２８とは、おむつの内面に接合されている。かかるおむつ１を着用すると、弾性部材１９が収縮してカフ１０が表面シート２の上方へ起立する傾向を示し、カフ１０が表面シート２との間におむつ１の内方へ向かって開口するポケット（図示せず）を形成する。なお、カフ１０は、股下域８においてほぼ垂直に起立すると、排泄物に対する高さＷのバリヤーとなる。このようなおむつ１は、例えば米国特許第４，６９５，２７８号公報に開示されている。
【０００４】
【発明が解決しようとする課題】
ところで、着用したおむつがずり下がり、その股下域と着用者の股と間の隙間が大きくなった場合でも、起立するカフの丈が高くしてあると排泄物の横漏れを未然に防ぐことができる。前記従来技術においてそのようにするには、幅Ｗを大きくすればよい。しかし、幅Ｗを広げると、カフが表面シートを広く被覆して排泄物の透液面積を減少させ、その結果、却って排泄物の横漏れを生じ易いという問題がある。
【０００５】
そこで、本発明は、おむつの少なくとも股下域において外方へ延びるカフをその幅方向中間部でおむつ内面側へ折り返すことにより、カフの幅を広くしてもおむつの吸収性の妨げにならないようにすることを課題にしている。
【０００６】
【課題を解決するための手段】
本発明が前記課題を解決するために手段とするところは、以下のとおりである。
【０００７】
本発明は、透液性表面シートおよび不透液性裏面シートと、それらシートの間に介在する吸液性コアとから構成され、長手方向に前身頃および後身頃と、それら両身頃間に位置する股下域とを有し、前記コアの両側縁から幅方向外方へ一対のサイドフラップが延在し、前記サイドフラップの外側縁の近傍に前記長手方向へ延びる脚周り用弾性部材が取り付けられ、前記前後身頃および前記股下域の長手方向に延在して前記表面シートの上方へ起立性向を有する伸縮性カフが前記サイドフラップの内面に取り付けられた使い捨ておむつを前提としている。
【０００８】
かかる前提における本発明の特徴は、前記コアが、前記股下域に円弧状の凹欠部を有する砂時計型に形成され、前記サイドフラップが、前記コアの凹欠部に並行するように円弧状に切り欠かれ、前記カフが、前記サイドフラップとほぼ同じ円弧を画く外形線を有して該サイドフラップの内面に接合された固定側縁部と、直線を画く外形線を有して前記固定縁部の反対側に位置する自由縁部と、前記固定縁部および前記自由縁部の間に位置する自由中間部と、前記おむつの幅方向へ倒伏した固定前後端縁部とを有し、長手方向へ延びる折曲線が、前記自由中間部に形成され、前記自由中間部が、前記折曲線に沿って前記おむつの内面側へ折り曲げられ、前記固定縁部から前記折曲線に至る部分と、前記折曲線から前記自由縁部に至る部分とに区分されていることにある。
【０００９】
本発明の好ましい実施態様の一つは、長手方向へ延びる弾性部材が、前記自由側縁部に伸長状態で取り付けられている。
【００１０】
【００１１】
【作用】
このように構成したおむつでは、カフの自由中間部が折曲線を介しておむつの内面側へ折り曲げられているから、カフの幅を広くしてもカフが表面シートを広く覆うことがない。
【００１２】
【実施例】
この発明に係る使い捨ておむつの詳細を添付の図面を参照して説明すると、以下のとおりである。
【００１３】
図１は、使い捨ておむつ１の部分破断平面図である。おむつ１は、透液性表面シート２と、不透液性裏面シート３と、これら両シート２，３間に介在する吸液性コア４とから構成されている。おむつ１は、その長手方向に前身頃６および後身頃７と、それら両身頃６，７間に介在する股下域８とを有する。吸液性コア４は、砂時計型を呈し、股下域８に脚周りへのフィット性をよくするための凹欠部１４を有する。表裏面シート２，３は、コア４の周縁から外方へ延出し、その延出する部分において互いに水密に接合されている。表裏面シート２，３の延出する部分は、長手方向へ延びる左右一対の脚周りサイドフラップ１１Ａと、前後身頃６，７に幅方向へ延びる腰周りフラップ１１Ｂとを形成している。サイドフラップ１１Ａの内面には、長手方向へ延びる一対の伸縮性カフ１０が取り付けられている。カフ１０は、前後身頃６，７と股下域８とに配置されている。サイドフラップ１１Ａには、長手方向へ延びる脚周り用弾性部材（第１弾性部材）１３が取り付けられている。脚周り用弾性部材１３は、表裏面シート２，３の間に介在し、長手方向へ伸長された状態でそれらシート２，３に連続的または間欠的に接合されている。後身頃７の左右両側縁からは、幅方向へ延びる一対のテープファスナー１２が取り付けられている。
【００１４】
図２は、図１のＸ−Ｘ線端面図であって、股下域８におけるカフ１０の詳細を示している。カフ１０は、不織布などの肌触りのよいシート片、好ましくは不透液性シート片、より好ましくは通気不透液性のシート片から形成されている。カフ１０は、サイドフラップ１１Ａに固定された固定側縁部１７と、固定側縁部１７の反対側に位置する自由縁部１８と、固定側縁部１７および自由縁部１８の間に位置する自由中間部２０と、おむつ１の幅方向へ倒伏した固定前後端縁部２７，２８とを有する。固定側縁部１７は、表面シート２にホットメルト接着剤１６を介して接合されている。自由縁部１８と中間部２０とは、サイドフラップ１１Ａに接合されていない。自由縁部１８には、長手方向へ延びる弾性部材１９が伸長状態で接合されている。中間部２０には、長手方向へ延びる折曲線１５が形成されている。中間部２０は、折曲線１５を介しておむつ１の内面側へ折り曲げられている。中間部２０は、固定縁側部１７から折曲線１５に至る幅Ａの部分１７Ａと、折曲線１５から自由縁部１８に至る幅Ｂの部分１７Ｂとに区分されている。かかるカフ１０は、おむつ１の幅方向内方へ向かって開口するポケット２１を形成している。
【００１５】
図３は、図１のＹ−Ｙ線端面図であって、カフ１０の固定後端縁部２８の構造の詳細を示す。カフ１０の固定後端縁部２８は、折曲線１５を介しておむつ１の内面側へ折り曲げられている。固定後端縁部２８は、おむつ１の幅方向へ倒伏し、互いに重なり合う部分がホットメルト接着剤１６を介して接合され、表面シート２と向き合う面が同じく接着剤１６を介してシート２に接合されている。したがって、固定後端縁部２８では、ポケット２１が閉じた状態にある。なお、カフ１０の固定前端縁部２７の構造は、固定後端縁部２８のそれに同じである。
【００１６】
このように構成したおむつ１を着用すると、おむつ１の前後身頃６，７と股下域８とが長手方向へ湾曲するとともに、弾性部材１９が収縮する。カフ１０は、図２において仮想線で示したように、弾性部材１９の収縮に伴い固定側縁部１７を基端としておむつ１の内面から表面シート２の上方へ起立し、折り曲げられた中間部２０が展開して幅Ａ＋Ｂを丈とするバリヤーを股下域８に形成する。カフ１０は、自由縁部１８の前後端縁がおむつ１の内面に接合されているから、固定前後端縁部２７，２８に近づくにつれてバリヤーの丈が次第に低くなる。
【００１７】
図４の（１）は、図１と異なる態様の使い捨ておむつ１の平面図であり、図４の（２）は、このおむつ１に接合するカフ１０の展開図である。おむつ１は、透液性表面シート２と、不透液性裏面シート３と、これら両シート２，３間に介在する吸液性コア４とから構成されている。おむつ１は、その長手方向に前身頃６および後身頃７と、それら両身頃６，７間に介在する股下域８とを有する。吸液性コア４は、砂時計型を呈し、股下域８に脚周りへのフィット性をよくするための凹欠部１４を有する。表裏面シート２，３は、コア４の周縁から外方へ延出し、その延出する部分において互いに水密に接合されている。表裏面シート２，３の延出する部分は、長手方向へ延びる左右一対の脚周りサイドフラップ１１Ａと、前後身頃６，７に幅方向へ延びる腰周りフラップ１１Ｂとを形成している。サイドフラップ１１Ａは、コア４の凹欠部１４に並行するように円弧状に切り欠かれている。サイドフラップ１１Ａの内面には、長手方向へ延びる一対の伸縮性カフ１０が取り付けられている。カフ１０は、前後身頃６，７と股下域８とに配置されている。サイドフラップ１１Ａには、コア４の凹欠部１４に沿って長手方向へ延びる脚周り用弾性部材（第１弾性部材）１３が取り付けられている。脚周り用弾性部材１３は、表裏面シート２，３の間に介在し、長手方向へ伸長された状態でそれらシート２，３に連続的または間欠的に接合されている。後身頃７の左右両側縁からは、幅方向へ延びる一対のテープファスナー１２が取り付けられている。
【００１８】
カフ１０は、サイドフラップ１１Ａに固定された固定側縁部１７と、固定側縁部１７の反対側に位置する自由縁部１８と、固定側縁部１７および自由縁部１８の間に位置する自由中間部２０と、おむつ１の幅方向へ倒伏した固定前後端縁部２７，２８とを有する。固定側縁部１７は、図４（２）に示すように、その外形線がサイドフラップ１１Ａとほぼ同じ円弧を画いている。固定側縁部１７は、表面シート２にホットメルト接着剤１６を介して接合されている。自由縁部１８と中間部２０とは、サイドフラップ１１Ａに接合されていない。自由縁部１８は、その外形線が直線を画いている。自由縁部１８には、長手方向へ延びる弾性部材（第２弾性部材）１９が伸長状態で接合されている。中間部２０には、長手方向へ延びる折曲線１５が形成されている。中間部２０は、折曲線１５に沿っておむつ１の内面側へ折り曲げられている。中間部２０は、固定側縁部１７から折曲線１５に至る幅Ａの部分１７Ａと、折曲線１５から自由縁部１８に至る幅Ｂの部分１７Ｂとに区分されている。かかるカフ１０は、おむつ１の幅方向内方へ向かって開口するポケット２１を形成している。カフ１０の固定前後端縁部２７，２８は、おむつ１の幅方向へ倒伏し、互いに重なり合う部分がホットメルト接着剤１６を介して接合され、表面シート２と向き合う面が同じく接着剤１６を介してシート２に接合されている。したがって、固定前後端縁部２７，２８では、ポケット２１が閉じた状態にある。おむつ１を着用すると、おむつ１の前後身頃６，７と股下域８とが長手方向へ湾曲するとともに、弾性部材１９が収縮する。カフ１０は、弾性部材１９の収縮に伴い固定側縁部１７を基端としておむつ１の内面から表面シート２の上方へ起立し、折り曲げられた中間部２０が展開して幅Ａ＋Ｂを丈とするバリヤーを股下域８に形成する。しかも表面シート２に対して吸液性コア４の上面を被覆する部分では殆ど接合することがないから、このカフ１０の接合域によって表面シート２の透液面積を減少させるということもない。また、カフ１０は、折り曲げられた中間部２０が股下域８だけで互いに重なり合い、固定前後端縁部２７，２８が重なり合うことはないから、おむつ１の胴周りでカフ１０が嵩張り、着用感の妨げになるということがない。
【００１９】
カフ１０は、その全体をエラストマーなどの伸縮性シートによってつくることができる。その場合には、伸縮性シートを伸長状態でおむつ１内面に接合し、第２弾性部材１９を省いてもよい。表裏面シート２，３や吸液性コア４には当該技術分野の慣用素材を使えばよく、各部材の接合にはホットメルト接着剤などの接着剤や粘着剤、各部材に対する熱溶着の技術を利用することができる。おむつ１の胴周り方向は、必要に応じて弾性部材を接合し、伸縮性にすることができる。
【００２０】
【発明の効果】
この発明に係る使い捨ておむつにおいては、少なくとも股下域においてカフを内面側へ折り返したから、カフは、その幅が広くても表面シートを広く覆うことがない。したがって、カフが表面シートの吸液面積を狭めてその吸液性能を損うということがない。
【００２１】
かかるカフは、それが起立しないときにはおむつ内方に向かって開口するポケットを形成して排泄物の横漏れを防止し、起立したときには排泄物に対して丈の高いバリヤーとなっておむつと着用者の股との隙間を塞ぎ、横漏れを防止することができる。
【図面の簡単な説明】
【図１】  おむつの部分破断平面図。
【図２】  図１のＸ−Ｘ線端面図。
【図３】  図１のＹ−Ｙ線端面図。
【図４】  （１）は図１と異なる態様のおむつの部分破断平面図、（２）はカフの展開図。
【図５】  従来技術によるおむつの平面図。
【符号の説明】
１        使い捨ておむつ
２        透液性表面シート
３        不透液性裏面シート
４        吸液性コア
６        前身頃
７        後身頃
８        股下域
１０        伸縮性カフ
１１Ａ      サイドフラップ
１３        弾性部材
１５        折曲線
１７        固定側縁部
１８        自由縁部
２０        自由中間部
２７        固定前端縁部
２８        固定後端縁部
【図１】
0003648182.tif 000002
【図２】
0003648182.tif 000003
【図３】
0003648182.tif 000004
【図４】
0003648182.tif 000005
【図５】
0003648182.tif 000006